(57)【要約】【課題】本発明は、増幅表示装置およびシステムに係り、表示技術分野に係る。【解決手段】上記増幅表示装置は、電子表示機器を載置するための上支持体と、下支持体と、上記上支持体と上記下支持体との間に連結され、上記上支持体との間の夾角が９０°未満であり、上記電子表示機器の表示画像を増幅して表示する透過反射部品とを含む。透過反射部品を設置することによって、透過反射部品の前にいる観察者が、縁の制限がなく周囲の環境に融合した実世界の表示画面を見ることができ、観察者に臨場感のある観察効果を創り出し、ユーザの観察体験を効果的に向上させる。また、透過反射部品に縁がなく、縁無しの透明表示パネルの効果を生み出すことができ、視覚の疲労になることが容易ではない。また、本発明の増幅表示装置は、製造の工程が簡単であり、コストが低く、製品化されやすい。【選択図】図１
2015184671.tif 000002
【特許請求の範囲】
【請求項１】
電子表示機器を載置するための上支持体と、
下支持体と、
上記上支持体と上記下支持体との間に連結され、上記上支持体との間の夾角が９０°未満であり、上記電子表示機器の表示画像を増幅して表示する透過反射部品と
を含むことを特徴とする増幅表示装置。
【請求項２】
請求項１に記載の増幅表示装置において、
上記透過反射部品は、第１面と上記第１面に対向する第２面とを含み、
上記増幅表示装置による表示時に、上記上支持体は、上記透過反射部品の第１面側に位置し、上記下支持体は、上記透過反射部品の第２面側に位置することを特徴とする増幅表示装置。
【請求項３】
請求項１に記載の増幅表示装置において、
上記電子表示機器は、裸眼立体画像または眼鏡式立体画像を表示し、
上記増幅表示装置は、上記電子表示機器の画像を水平の中軸線に沿って鏡像処理するための第１画像処理ユニットをさらに含むことを特徴とする増幅表示装置。
【請求項４】
請求項３に記載の増幅表示装置において、
観察者の位置情報を追跡するための追跡ユニットと、
観察者の位置情報に基づいて、電子表示機器に表示される画像情報の画像配置処理を行うための第２画像処理ユニットと
をさらに含むことを特徴とする増幅表示装置。
【請求項５】
請求項１乃至４のいずれか一項に記載の増幅表示装置において、
上記電子表示機器による表示画像の制御情報を表示し、上記制御情報に対するフィードバックに基づいて、上記電子表示機器による表示内容を制御するための、上支持体または下支持体に設置される表示制御パネルをさらに含むことを特徴とする増幅表示装置。
【請求項６】
請求項１乃至４のいずれか一項に記載の増幅表示装置において、
上記夾角が３０°〜６０°であることを特徴とする増幅表示装置。
【請求項７】
請求項１乃至４のいずれか一項に記載の増幅表示装置において、
上記上支持体と上記透過反射部品とは固定連結であり、上記透過反射部品と上記下支持体とは固定連結であり、上記上支持体と上記下支持体とは平行に設置されることを特徴とする増幅表示装置。
【請求項８】
請求項１乃至４のいずれか一項に記載の増幅表示装置において、
上記上支持体と上記透過反射部品とは可動連結であることを特徴とする増幅表示装置。
【請求項９】
請求項８に記載の増幅表示装置において、
上記透過反射部品と上記下支持体とは、可動連結または固定連結であることを特徴とする増幅表示装置。
【請求項１０】
電子表示機器を載置するための支持体と、
上記支持体と９０°未満の夾角の連結を形成し、上記電子表示機器の表示画像を増幅して表示する透過反射部品と
を含むことを特徴とする増幅表示装置。
【請求項１１】
請求項１０に記載の増幅表示装置において、
上記透過反射部品は、第１面と上記第１面に対向する第２面とを含み、
上記増幅表示装置による表示時に、上記支持体は、上記透過反射部品の第１面側に位置することを特徴とする増幅表示装置。
【請求項１２】
請求項１０に記載の増幅表示装置において、
上記電子表示機器は、裸眼立体画像または眼鏡式立体画像を表示し、
上記増幅表示装置は、上記電子表示機器の画像を水平の中軸線に沿って鏡像処理を行うための第１画像処理ユニットをさらに含むことを特徴とする増幅表示装置。
【請求項１３】
請求項１２に記載の増幅表示装置において、
観察者の位置情報を追跡するための追跡ユニットと、
観察者の位置情報に基づいて、電子表示機器に表示される画像情報の画像配置処理を行うための第２画像処理ユニットと
をさらに含むことを特徴とする増幅表示装置。
【請求項１４】
請求項１０乃至１３のいずれか一項に記載の増幅表示装置において、
上記電子表示機器による表示画像の制御情報を表示し、上記制御情報に対するフィードバックに基づいて、上記電子表示機器による表示内容を制御するための、支持体に設置される表示制御パネルをさらに含むことを特徴とする増幅表示装置。
【請求項１５】
請求項１０乃至１３のいずれか一項に記載の増幅表示装置において、
上記夾角が３０°〜６０°であることを特徴とする増幅表示装置。
【請求項１６】
請求項１０乃至１３のいずれか一項に記載の増幅表示装置において、
上記支持体は、上記透過反射部品の下方向または上方向に設置されることを特徴とする増幅表示装置。
【請求項１７】
請求項１０乃至１３のいずれか一項に記載の増幅表示装置において、
上記支持体と上記透過反射部品とは、可動連結または固定連結であることを特徴とする増幅表示装置。
【請求項１８】
請求項１、２、１０または１１に記載する増幅表示装置と電子表示機器を含み、
上記電子表示機器は、上記電子表示機器の画像を水平の中軸線に沿って鏡像処理するための第１画像処理ユニットをさらに含むことを特徴とする増幅表示システム。
【請求項１９】
請求項１８に記載の増幅表示システムにおいて、
上記電子表示機器は、裸眼立体画像または眼鏡式立体画像を表示し、
上記電子表示機器は、
観察者の位置情報を追跡するための追跡ユニットと、
観察者の位置情報に基づいて、電子表示機器に表示される画像情報の画像配置処理を行うための第２画像処理ユニットと
をさらに含むことを特徴とする増幅表示システム。
【請求項２０】
請求項１、２、１０または１１に記載する増幅表示装置と電子表示機器を含み、
上記増幅表示装置は、上記電子表示機器の画像を水平の中軸線に沿って鏡像処理するための第１画像処理ユニットをさらに含むことを特徴とする増幅表示システム。
【請求項２１】
請求項２０に記載の増幅表示システムにおいて、
上記電子表示機器は、裸眼立体画像または眼鏡式立体画像を表示し、
上記増幅表示装置は、
観察者の位置情報を追跡するための追跡ユニットと、
観察者の位置情報に基づいて、電子表示機器に表示される画像情報の画像配置処理を行うための第２画像処理ユニットと
をさらに含むことを特徴とする増幅表示システム。
【請求項２２】
請求項３または１２に記載する増幅表示装置と電子表示機器を含み、
上記電子表示機器は、
観察者の位置情報を追跡するための追跡ユニットと、
観察者の位置情報に基づいて、電子表示機器に表示される画像情報の画像配置処理を行うための第２画像処理ユニットと
をさらに含むことを特徴とする増幅表示システム。
【発明の詳細な説明】
【技術分野】
【０００１】
本発明は、表示技術分野に係り、特に増幅表示装置および増幅表示システムに係る。
【背景技術】
【０００２】
表示技術の発展につれて、二次元表示装置において、高い解像度や色彩度が実現されている。二次元表示技術は、すでに成熟傾向になりつつある。一方、新興の三次元表示技術（立体表示技術または３Ｄ表示技術とも言う）は、ユーザに強烈な視覚的インパクトを与えることができ、将来の表示技術の発展における１つの重要な方向である。
【０００３】
三次元表示技術は、主にホログラフィック技術、眼鏡式立体表示技術および裸眼立体表示技術を含む。そのうち、ホログラフィック技術は、コストが高く、技術が複雑であるため、商業化への期待が大きく制限される。現在、眼鏡式立体表示技術および裸眼立体表示技術のほうがより多く研究されている。そのうち、眼鏡式立体表示技術は、表示画面からの、視差のある二つの画像を示す光線を、かけてあるメガネレンズで分け、対応する目に入るが他方の目に入らないようにし、それから脳の合成によって立体的な視覚を形成する。裸眼式立体表示は、原理が類似するが、ただ、視差のある二つの画像を示す光線を、表示画面にある光学格子（よく見られるのは、視差障害、レンズアレイ、指向性光源などがある）で分け、対応する目に入るが他方の目に入らないようにし、それから脳の合成によって立体的な視覚を形成する。眼鏡式にしても裸眼式立体表示技術にしても、立体場面の表示効果が表示器画面の縁による制限を受けることが存在する。３Ｄ画像が一本の延々とする３Ｄ道を表現する場合、伝統的な３Ｄ表示装置で表示すると、路面が電子表示機器の表示縁から制限を受けて延伸できないという圧迫感および／またはめまいの感覚が生じてしまい、観察者の視覚疲労を引き起こすことになる。
【発明の概要】
【発明が解決しようとする課題】
【０００４】
現在の医療分野に応用される表示技術において、米国特許ＵＳ２００５／０２８５８５３Ａ１では、三次元データによる病巣の検出、ユーザによる病理報告の編集や作製が可能な装置が開示されている。当該装置は、画像投射システム、ハーフミラー、および非透明画面によって三次元データを表示する。上記特許の明細書の図３に示すように、ハーフミラーとデスクの表面とは４５度の夾角をなし、非透明画面がフックによって上部に設置される。発明者は、上記の設置方式の光路を分析した上で、ハーフミラー前の観察者がハーフミラー裏の画像を見るには、当該画像が実像でなければならないことが分かった。しかし、現在、立体実像を形成する技術、例えば上記のホログラフィック映像技術には、コストが高く、技術が複雑である欠点が存在することが多く、商業化が難しい。
【課題を解決するための手段】
【０００５】
上記の技術問題を解決するために、本発明は、以下の技術案を提供する。
電子表示機器を載置するための上支持体と、下支持体と、上記上支持体と上記下支持体との間に連結され、上記上支持体との間の夾角が９０°未満であり、上記電子表示機器の表示画像を増幅して表示する透過反射部品とを含む増幅表示装置。
【０００６】
さらに、上記透過反射部品は、第１面と上記第１面に対向する第２面とを含み、上記増幅表示装置による表示時に、上記上支持体は、上記透過反射部品の第１面側に位置し、上記下支持体は、上記透過反射部品の第２面側に位置する。
【０００７】
さらに、上記電子表示機器は、裸眼立体画像または眼鏡式立体画像を表示し、上記増幅表示装置は、上記電子表示機器の画像を水平の中軸線に沿って鏡像処理するための第１画像処理ユニットをさらに含む。
【０００８】
さらに、上記増幅表示装置は、観察者の位置情報を追跡するための追跡ユニットと、観察者の位置情報に基づいて、電子表示機器に表示される画像情報の画像配置処理を行うための第２画像処理ユニットとをさらに含む。
【０００９】
さらに、上記増幅表示装置は、上記電子表示機器による表示画像の制御情報を表示し、上記制御情報に対するフィードバックに基づいて、上記電子表示機器による表示内容を制御するための、上支持体または下支持体に設置される表示制御パネルをさらに含む。
【００１０】
さらに、上記夾角が３０°〜６０°である。
【００１１】
選択可能に、上記上支持体と上記透過反射部品とは固定連結であり、上記透過反射部品と上記下支持体とは固定連結であり、上記上支持体と上記下支持体とは平行に設置される。
【００１２】
選択可能に、上記上支持体と上記透過反射部品とは可動連結である。
【００１３】
さらに、上記透過反射部品と上記下支持体とは、可動連結または固定連結である。
【００１４】
電子表示機器を載置するための支持体と、上記支持体と９０°未満の夾角の連結を形成し、上記電子表示機器の表示画像を増幅して表示する透過反射部品とを含む増幅表示装置。
【００１５】
さらに、上記透過反射部品は、第１面と上記第１面に対向する第２面とを含み、上記増幅表示装置による表示時に、上記支持体は、上記透過反射部品の第１面側に位置する。
【００１６】
さらに、上記電子表示機器は、裸眼立体画像または眼鏡式立体画像を表示し、上記増幅表示装置は、上記電子表示機器の画像を水平の中軸線に沿って鏡像処理するための第１画像処理ユニットをさらに含む。
【００１７】
さらに、上記増幅表示装置は、観察者の位置情報を追跡するための追跡ユニットと、観察者の位置情報に基づいて、電子表示機器に表示される画像情報の画像配置処理を行うための第２画像処理ユニットとをさらに含む。
【００１８】
さらに、上記増幅表示装置は、上記電子表示機器による表示画像の制御情報を表示し、上記制御情報に対するフィードバックに基づいて、上記電子表示機器による表示内容を制御するための、支持体に設置される表示制御パネルをさらに含む。
【００１９】
さらに、上記夾角が３０°〜６０°である。
【００２０】
さらに、上記支持体は、上記透過反射部品の下方向または上方向に設置される。
【００２１】
さらに、上記支持体と上記透過反射部品とは可動連結または固定連結である。
【００２２】
上記のいずれか１つの増幅表示装置と電子表示機器を含む増幅表示システムにおいて、上記電子表示機器は、上記電子表示機器の画像を水平の中軸線に沿って鏡像処理するための第１画像処理ユニットをさらに含む。
【００２３】
さらに、上記電子表示機器は、観察者の位置情報を追跡するための追跡ユニットと、観察者の位置情報に基づいて、電子表示機器に表示される画像情報の画像配置処理を行うための第２画像処理ユニットとをさらに含む。
【００２４】
さらに、上記電子表示機器は、裸眼立体画像または眼鏡式立体画像を表示する。
【発明の効果】
【００２５】
本発明による増幅表示装置およびシステムは、上支持体と９０°未満の夾角である透過反射部品によって、上支持体に置かれた電子表示機器の画像を増幅して表示する。透過反射部品の透過機能によって、透過反射部品の前にいる観察者が、縁の制限がなく周囲の環境に融合した実世界の表示画面を見ることができ、観察者に臨場感のある観察効果を創り出し、ユーザの観察体験を効果的に向上させる。また、透過反射部品に縁がなく、縁無しの透明表示パネルの効果を生み出すことができ、視覚の疲労になることが容易ではない。また、本発明の増幅表示装置は、製造の工程が簡単であり、コストが低く、製品化されやすい。
【図面の簡単な説明】
【００２６】
【図１】本発明の実施例１による増幅表示装置の一構造図である。
【図２】本発明の実施例１による増幅表示装置の別構造図である。
【図３】本発明の実施例１による増幅表示装置の別構造図である。
【図４】本発明の実施例１による増幅表示装置が表示を行う光路図である。
【図５】本発明の実施例２による増幅表示装置の構造図である。
【図６】本発明の実施例３による増幅表示装置の一構造図である。
【図７ａ】本発明の実施例３による増幅表示装置が表示を行う光路図である。
【図７ｂ】本発明の実施例３による増幅表示装置が表示を行う光路図である。
【図８】本発明の実施例３による増幅表示装置の一構造図である。
【図９】本発明の実施例４による増幅表示装置の構造図である。
【図１０ａ】本発明の実施例４の表示制御パネルで電子表示機器の音楽再生が表示されるときの制御情報である。
【図１０ｂ】本発明の実施例４の表示制御パネルで電子表示機器の被コールが表示されるときの制御情報である。
【図１０ｃ】本発明の実施例４の表示制御パネルで電子表示機器のウェブページ表示が表示されるときの制御情報である。
【図１１】本発明の実施例５による増幅表示装置が表示を行う光路図である。
【図１２ａ】本発明の実施例６による増幅表示装置の構造図である。
【図１２ｂ】本発明の実施例６による増幅表示装置の構造図である。
【図１３】本発明の実施例７による増幅表示装置の構造図である。
【図１４】本発明の実施例８による増幅表示システムの構造図である。
【発明を実施するための形態】
【００２７】
本発明の上記目的、特徴および利点をより明確に理解可能にするために、以下、図面および具体的な実施形態と結び付けて、本発明についてさらに詳細に記載する。なお、抵触しない限り、本願の実施例および実施例における特徴は、互いに組み合わせることができる。
【００２８】
本発明を十分に理解するために、以下の記載では、具体的な細かな点が多く説明されている。しかし、本発明は、それら以外の、ここでの記載と異なる他の方式を用いて実施することもできる。したがって、本発明は、以下に開示する具体的な実施例により制限されない。
実施例１
【００２９】
本発明が提供する増幅表示装置は、図１に示すように、上支持体１１と、下支持体１３と、上支持体１１と下支持体１３との間に連結される透過反射部品１２とを含む。上支持体１１には、電子表示機器が置かれる。上支持体１１の具体的な構造は、電子表示機器の構造に応じて設計でき、電子表示機器を上支持体１１の上に載置することのできる構造であればよく、ここで限定しない。例えば、電子表示機器は、携帯電話、タブレットパソコン、ノートパソコン、ゲーム機など、２Ｄまたは３Ｄ表示機能を持つ機器であり、対応する上支持体１１は、その上に置かれる携帯電話などの機器と形状やサイズがマッチする支持台である。
【００３０】
透過反射部品１２は、上支持体１１と等幅の平面ハーフミラーを採用する。透過反射部品１２は、平面、曲面およびその他の縁なしの幾何面であり、第１面と第２面とを含む。透過反射部品１２は、透過反射比率が調整可能であり、サイズが視聴画面の大きさに応じて決まる。透過反射部品１２は、反射と透過機能を同時に持つ材料、または、反射と透過機能を同時に持つ材料が塗布されたガラス、プラスチック、アクリル板などの材料を採用して製作され、さらに電子制御液晶パネルのような電子制御透過反射パネルであってもいい。さらに、透過反射部品１２の透過反射効果が光照射状況から大きく影響されるため、例えば室外の比較的強烈な日光の下で見る場合、画像のコントラストが明らかに劣化すると感じることがある。本実施例では、透過反射部品１２を製作するガラスに調光材料層を塗布し、または、透過反射部品１２を製作するガラスに調光材料を添加してもいい。ここで、調光材料は、２種類の異なる分子または電子構造状態があり、可視光領域で２種類の異なる吸収係数を有し、光の作用によって、一種の構造から別種類の構造に変化できる。調光材料は、光の作用を受けて透過率が変更可能である。紫外線が強烈な日光照射の下で、このような調光材料添加ガラスの透過率が低下し、画像のコントラストが保証される。室内環境では、当該透過率が上昇し、仮想画像と実世界の融合度が復元する。ここで、調光材料は、ハロゲン化銀である。
【００３１】
下支持体１３は、上支持体１１と透過反射部品１２を支持するためのものであり、水平に置かれるか、上支持体１１と平行な支持面、支持台などである。ここで、上支持体１１と下支持体１３は、図１に示すように、透過反射部品１２の異なる側に位置するが、図２に示すように、透過反射部品１２の同一側に位置してもいい。
【００３２】
上支持体１１と透過反射部品１２との間は、９０°未満の夾角をなす。３０〜６０度が好ましく、図１および図２では４５度の夾角になっている。上支持体１１と透過反射部品１２とは、係止ケースなどの固定連結によって固定角度で連結してもいいし、可動連結を採用してもよく、ユーザによる必要な視聴角度調整に便利である。ここで、可動連結は、上支持体１１に設置される連結位置決め軸と、透過反射部品１２に設置される連結位置決め軸カバーによって実現される。具体的に、連結位置決め軸には、位置決め突起が設置されており、連結位置決め軸カバーの内側面には、位置決め突起に対応して位置決め溝が設置されている。連結位置決め軸が連結位置決め軸カバーに挿通するように設置され、かつ位置決め突起が位置決め溝に係合する。もちろん、連結位置決め軸を透過反射部品１２に、連結位置決め軸カバーを上支持体１１に設置してもいい。また、可動連結は、その他の既有の様々な回転可能に位置決める構造、例えばヒンジ構造であってもいいが、ここでその他の実施状況を贅言しない。透過反射部品１２と下支持体１３も、上記の固定連結または可動連結で接続してもいい。
【００３３】
上記２箇所の連結は、同時に固定連結であってもいいし、一箇所で可動連結であり他方で固定連結であってもいい。例えば図３のように、下支持体１３と透過反射部品１２とを固定連結し、上支持体１１と透過反射部品１２とを可動連結することで、ユーザは、上支持体１１と透過反射部品１２との間の夾角を調整して観察角度を調整可能できる。逆に、下支持体１３と透過反射部品１２とを可動連結し、上支持体１１と透過反射部品１２とを固定連結してもよく、ここでは贅言しない。また、上記２箇所の連結を同時に可動連結にしてもいい。ユーザが観察角度を自由に調整できるし、非使用時、ユーザがそれを折畳むことで、収納と携帯に便利である。上記増幅表示装置による表示時に、上記上支持体１１は、上記透過反射部品１２の第１面側に位置し、上記下支持体１３は、上記透過反射部品１２の第２面側に位置する。上記設定によって、透過反射部品１２の上支持体１１と異なる側に、電子表示機器による表示画像の虚像が形成され、透過反射部品１２によって電子表示機器の画像を増幅して表示する。
【００３４】
さらに、下支持体１３の透過反射部品１２に対向する表面１３１に光吸収層を設置してもいい。上記光吸収層は、画像表示中に透過反射部品１２から透過した光線を吸収するためのものであり、当該部分の透過光線が再び反射されることによって虚像のコントラストと明るさに影響を与え、視覚の体験効果に影響を与えることを避ける。
【００３５】
以下、本実施例の増幅表示の原理を図４によって説明する。
【００３６】
図４は、本発明によって２Ｄ表示画面の増幅表示を実現する光路図である。電子表示機器は、２Ｄ画面を表示可能な携帯電話、パソコン、ゲーム機などである。図４に示すように、１０１は、上支持体１１が位置する平面であり、１０２は、透過反射部品１２が位置する平面であり、１０３は、下支持体１３が位置する平面である。ユーザが携帯電話を上支持体１１に置いたとき、すなわち携帯電話の画面が１０１平面に位置し、携帯電話の画面上の任意のポイントＡからの当該ポイントにおける信号強度を示す光が１０２平面にある透過反射部品１２の反射によって観察者の目に入った後、上支持体１１と透過反射部品１２との間に９０度未満の夾角をなしたため、観察者が透過反射部品１２の裏のポイントＢにおいてポイントＡの像を見ることができ、また透過反射部品１２に透過力を持つため、反射部品１２の裏の実物と場面も観察者に見られ、仮想画像と実世界が一体に融合した表示効果を形成する。
実施例２
【００３７】
増幅表示装置は、図５に示すように、上支持体１１と、下支持体１３と、第１連結構造（図示せず）と、可動連結構造と、透過反射部品１２とを含む。上支持体１１は、電子表示機器を収容するためのものであり、連結端２１ａと、当該連結端２１ａに対向する自由端２１ｂとを含む。透過反射部品１２は、第１端５１と、当該端に対向する第２端５２とを含み、しかも、上記上支持体１１に向かう第１面５３と、当該第１面に対向し、下支持体１３に向かう第２面５４とを含む。透過反射部品１２は、第１端５１が上記第１連結構造を介して第１収納構造の連結端２１ａに連結し、第２端５２が可動連結構造を介して下支持体１３に可動連結する。増幅表示装置による表示時に、透過反射部品１２の第２面５４側において、電子表示機器による表示画像の虚像が形成される。
【００３８】
本実施例の上支持体１１は、中空な長方形の枠体を呈し、中空部分で電子表示機器を収容する収容空間を形成する。収容空間は、電子表示機器の形状やサイズにマッチする。電子表示機器を上支持体１１に載置することができる。明らかに、上支持体１１は、本実施例による形状に限定されず、電子表示機器を収容可能であり、中空な枠体で電子表示機器の表示面を露出させ、表示時に画像光線が透過反射部品１２を経て上記透過反射部品１２の第２面５４で上記画像の虚像が形成されればいい。本実施例の下支持体１３は、四方形の中空な箱体であり、電子表示機器の部品の収納に用いられる。
【００３９】
本実施例の下支持体１３は、光吸収層（図示せず）も含む。上記光吸収層は、透過反射部品１２の第２面５４側の下支持体１３の表面２２１に設置され、画像表示中に透過反射部品１２から透過した光線を吸収するためのものであり、当該部分の透過光線が再び反射されることによって虚像のコントラストと明るさに影響を与え、視覚の体験効果に影響を与えることを避ける。
【００４０】
本実施例の第１連結構造は、固定連結構造であり、すなわち上支持体１１の連結端２１ａが固定連結構造によって透過反射部品１２に固定連結し、且つ当該上支持体１１に収容される電子表示機器の表示面が透過反射部品１２の第１面５３と一定の角度をなし、具体的に鋭角であり、３０度〜６０度が好ましく、４５度が最適である。上記固定連結構造は、係合固定構造などの様々な固定構造である。
【００４１】
本実施例の可動連結構造は、透過反射部品１２の第２端５２の縁に設置される連結位置決め軸と、下支持体１３に設置される連結位置決め軸カバーとを含む。連結位置決め軸には、位置決め突起が設置されており、連結位置決め軸カバーの内側面には、位置決め突起に対応して位置決め溝が設置される。連結位置決め軸が連結位置決め軸カバーに挿通するように設置され、かつ位置決め突起が位置決め溝に係合する。もちろん、上記連結位置決め軸を下支持体１３に、対応する上記連結位置決め軸カバーを透過反射部品１２の第２面５４に設置してもいい。また、位置決め突起を連結位置決め軸カバー内に、対応する位置決め溝を連結位置決め軸に設置してもいい。また、可動連結構造は、本発明の実施例による構造に限定されず、その他の既有の様々な回転可能に位置決める構造、例えばヒンジ構造であってもいいが、当該回転可能に位置決める構造が良く見られるものであるため、ここでその他の実施状況を贅言しない。
【００４２】
本実施例の透過反射部品１２は、表面に塗布層を持ち、環境の光線に応じて透過反射率を調節可能な部品である。もちろん、電源の供給を有する場合、透過反射部品１２は、液晶ガラス部品（電子制御液晶ガラスともいう）を採用してもいい。通電状態において、電圧を調節することによって透過率を調節して、変化する光線環境に適応する。
【００４３】
次ぎ、本実施例の増幅表示装置がどのように未表示状態から表示状態に変化するかを詳細に説明する。
【００４４】
上支持体１１は、外力を受けて、透過反射部品１２を下支持体１３に対して回転させる。すなわち、透過反射部品１２は、第１連結機構を介して下支持体１３に対して回転する。それによって、上支持体１１と透過反射部品１２の第１面５３との間に一定の空間が形成され、下支持体１３と透過反射部品１２の第２面５４との間に一定の空間が形成される。その中に収納した電子表示機器の表示面が透過反射部品１２の第１面５３と４５度の鋭角をなし、かつ透過反射部品１２の第２面５４と第２面５４側の下支持体１３の表面と４５度の鋭角をなしたとき、形成された虚像の大きさや比例は、表示部品による表示画像の大きさや比例と一致し、表示効果が最適となる。本実施例では、上支持体１１は、長方体であり、下支持体１３は、三角錐である。本実施例では、表示時に、電子表示機器が収納された上支持体１１は、下支持体１３より上方向にある。このような構造の設計によって、電子表示機器からの画像光線が観察者の虚像画面の観察体験に影響を与えず、すなわち電子表示機器からの光線が観察者による虚像の観察に干渉する（虚像画面のコントラストと明るさに影響を与える）ことはなく、かつ増幅表示装置全体の配置がより安定的であり且つ見た目がいい。
【００４５】
また、本実施例の増幅表示装置は、視角調節機構をさらに含んでもいい。視角調節機構は、可動連結構造によって実現され、透過反射部品１２を下支持体１３に対して回転させることによって視角を調節可能となる。また、直接下支持体１３の底部に視角調節機構を設置することも考えられ、上支持体１１、透過反射部品１２および下支持体１３を全体的に当該視角調節機構に対して回転させ、かつ上支持体１１、透過反射部品１２および下支持体１３の相対位置を固定にすることによって、視角調節機能を実現すると同時に、虚像形成空間の大きさに影響を与えない。
【００４６】
本実施例による増幅表示装置は、実施例１の増幅表示を実現すると同時に、非表示時に、上支持体１１で電子表示機器を、下支持体１３で電子表示機器の部品を収納することによって、電子表示機器の収納、包装機能を果たし、携帯により便利である。
実施例３
【００４７】
増幅表示装置であって、図６に示すように、実施例１と実施例２との相違点として、電子表示機器が裸眼立体画面を表示可能である。上記増幅表示装置は、電子表示機器による表示画像を水平の中軸線に沿って鏡像処理するための第１画像処理ユニット２０をさらに含む。具体的に、電子表示機器の表示画面で各画像の水平方向の画素数をＷとすると、各画像における任意の画素点Ａ（Ｘａ、Ｙａ）の画素値と画素点Ｂ（Ｗ−Ｘａ、Ｙａ）の画素値を互いに交換する。図６の光路図より、透過反射ミラー１０５の画像形成作用によって、透過反射ミラー１０５が置かれていない画像点Ｅ、Ｆと、透過反射ミラーを置いた後の画像点Ｅ´、Ｆ´の位置が水平方向で交換したことが分かる。上記第１画像処理ユニット２０による処理後、画像は、水平方向上の交換が実現される。透過反射ミラー１０５による画像形成後、観察者が正確な表示画面を見ることを保証する。
【００４８】
なお、本実施例では、画像の座標を１から示しており、処理中に各画像における任意の画素点Ａ（Ｘａ、Ｙａ）の画素値と画素点Ｂ（Ｗ−Ｘａ、Ｙａ）の画素値を互いに交換する。通常な場合、画像の座標を０から示すため、処理中に各画像における任意の画素点Ａ（Ｘａ、Ｙａ）の画素値と画素点Ｂ（Ｗ−１−Ｘａ、Ｙａ）の画素値を互いに交換する。
【００４９】
以下、図７ａ〜図７ｂによって本実施例の増幅表示原理を説明する。
【００５０】
図７ａ〜７ｂは、本発明によって３Ｄ表示画面の増幅表示を実現する光路図である。図７ａは、透過反射ミラー１０５が置かれていない光路図であり、図７ｂは、透過反射ミラー１０５を置いた後の光路図である。電子表示機器は、３Ｄ画面を表示可能な携帯電話、パソコン、ゲーム機などである。図７ａでは、平面１０４で電子表示機器の画面を示し、ａ、ｂは、実際の場面での同一ポイントの、視差を有する左側画面と右側画面での対応するポイントであり、ｃ、ｄは、実際の場面での別のポイントの、視差を有する左側画面と右側画面での対応するポイントである。ａポイント、ｂポイント、ｃポイント、ｄポイントからの光線がレンズアレイ、視差障害アレイなどいずれの光線を指向性を持って分光する部品を透過した後、それぞれ観察者の左眼と右眼に導かれて、脳の合成によってＥとＦの立体感のある二つのポイントを得る。図７ｂでは、反射部品１２と上支持体１１が平行することを例とし、図７ａを基に、平面１０４の前に透過反射ミラー１０５を平行に設置した後、ａポイントからの光線が透過反射ミラー１０５を経て形成する画像ポイントがａ´であり、同様に、ｂ´、ｃ´、ｄ´がそれぞれｂ、ｃ、ｄの画像ポイントである。観察者が透過反射ミラー１０５を介して見た立体画像ポイントがＥ´、Ｆ´となり、立体感も形成したが、従来の立体表示効果に比較すると、図７ｂで観察者が見たＥ´、Ｆ´の位置は、図７ａで観察者に見られたＥとＦを水平の中軸線に沿って鏡像処理して得た画像である。このような場合、ユーザは、電子表示機器の表示画像に逆さまな画像を見ることになる。
【００５１】
本発明では、上支持体１１と透過反射部品１２とは９０°未満の夾角をなし、すなわち平面１０４と１０５とは一定の夾角をなして設置され、その表示原理が上記と同一である。したがって、本実施例では、増幅表示装置に第１画像処理ユニット２０を設置することによって、電子表示機器による表示画像を水平中軸線に沿って鏡像処理する。観察者が正確な表示画面を見れるように保証する。透過反射ミラー１０５が反射機能のみならず、透過機能も有するため、観察者は、携帯電話で表示する仮想３Ｄ画面のほか、透過反射ミラー１０５を介して実場面の内容も見ることができ、仮想３Ｄ画面と周囲の実世界の場面と融合した表示画面が形成され、観察者に臨場感のある観察効果を与え、ユーザの観察体験を効果的に向上させる。
【００５２】
さらに、図６に示すように、上記増幅表示装置は、追跡ユニット２１と第２画像処理ユニット２２とをさらに含む。追跡ユニット２１は、観察者の位置を追跡するためのものである。具体的に、増幅表示装置の任意の位置（例えば上支持体１１の上で観察者に向かう）に設置されたカメラであってもよく、ユーザの顔特徴情報を採集することによってユーザの目の位置を追跡して特定する。カメラが接続線を介してと第２画像処理ユニット２２に接続され、観察者の位置情報を第２画像処理ユニット２２に送信する。第２画像処理ユニット２２は、観察者の位置情報に基づいて、電子表示機器に表示される画像情報の図面配置処理を行う。それによって、大視角の増幅表示効果を実現する。追跡ユニット２１と第２画像処理ユニット２２の具体的な実施形態は、中国特許ＣＮ２０１０１０５９４３２４．４を参考していい。
【００５３】
なお、上記特許の発明と異なるのは、図８に示すように、本発明による増幅表示装置の観察距離Ｄは、観察者からカメラまでの距離ｄと、電子表示機器の表示領域の幅ｗとの和であり、したがって、Ｄ＝ｄ＋ｗである。その他について、贅言しない。
実施例４
【００５４】
増幅表示装置であって、図９に示すように、上支持体１１または下支持体１３に設置される電源２３と通信ユニット２４を実施例１乃至３のいずれか一つの増幅表示装置にさらに含む。透過反射部品１２が電子制御透過反射パネルなど、電源によって表示を実現する部品を採用する場合、電源２３は、回線を介して電子制御透過反射パネルに電気を供給する。また、電源２３は、回線を介して通信ユニット２４と接続してもいい。通信ユニット２４は、増幅表示装置と電子表示機器の電気接続を実現できるが、電源２３は、通信ユニット２４を介して、増幅表示装置に接続する電子表示機器に充電できる。また、通信ユニット２４は、増幅表示装置と電子表示機器とのデータ伝送も実現できる。具体的に、通信ユニット２４は、上支持体１１または下支持体１３に設置されるＵＳＢユニットである。ＵＳＢユニットは、ＵＳＢ制御ユニットとＵＳＢインタフェースを含む。ＵＳＢ制御ユニットは、ＵＳＢユニットを制御する。ＵＳＢインタフェースは、電子表示機器のＵＳＢインタフェースに接続し、データ伝送を実現する。電源２３は、ＵＳＢインタフェースを介して電子表示機器に充電可能である。増幅表示装置は、ＵＳＢインタフェースを介して電子表示機器とファイルのダウンロード、コピーなどの情報伝送を実現可能である。また、通信ユニット２４は、ＷＩＦＩユニット、ＮＦＣ通信ユニット、ＲＦＩＤ通信ユニット、ブルートゥースユニット、圧迫式センサなど一種または多種類の部品の組み合わせでデータ伝送を実現することもできる。
【００５５】
さらに、通信ユニット２４は、回線を介して追跡ユニット２１、例えばカメラに接続していい。第２画像処理ユニット２２は、電子表示機器内に設置していい。カメラは、ＵＳＢインタフェースを介して電子表示機器と通信接続を実現し、ユーザの位置情報を第２画像処理ユニット２２に伝送する。
【００５６】
さらに、図９に示すように、増幅表示装置は、下支持体１３に設置され、ユーザに向かう表示制御パネル２５をさらに含んでいい。表示制御パネル２５は、回線を介して電源２３と接続して電源供給を実現し、回線を介して通信ユニット２４と接続して電子表示機器とのデータ伝送および双方向制御を実現する。表示制御パネルは、電子表示機器による表示画像の制御情報を表示する。具体的に、当該制御情報は、制御ボタンであっていい。例えば電子表示機器の再生中の映像や音楽などの早送りまたはバックボタンであり、または、電子表示機器の表示中ウェブページのページめくりボタン、ＵＲＬリンク、または、電子表示機器がオンにされるオンボタンである。携帯電話を例とする場合、それがオンとなることは、電源のスイッチオンであってもいいし、被コールであってもいい。ユーザは、表示制御パネル２５での操作によって、電子表示機器に表示される内容を制御でき、すなわち、上記映像や音楽の早送りまたはバック、ウェブページのページめくり、リンク先ＵＲＬへのリンク、または電子表示機器のオンを対応的に制御する。
【００５７】
上記表示制御パネル２５による電子表示機器の表示内容制御の応用例は、図１０ａ、図１０ｂ、図１０ｃを参考する。表示制御パネル２５は、タッチ表示パネルであってもいいし、物理ボタンを含む表示パネルであってもいい。本実施例では、タッチ表示パネルを例として説明する。図１０ａは、本発明の表示制御パネル２５が電子表示機器の音楽再生を表示するときの制御情報である。図１０ｂは、本発明の表示制御パネル２５が電子表示機器の被コールを表示するときの制御情報である。図１０ｃは、本発明の表示制御パネル２５が電子表示機器のウェブページ表示を表示するときの制御情報である。
【００５８】
図１０ａに示すように、電子表示機器による音楽再生中に、電子表示機器は、音楽再生を制御する情報を増幅表示装置に送信する。増幅表示装置は、音楽再生を制御する情報を受信して、対応する音楽再生制御アイコンを生成し、アイコンをタッチ表示パネル２５に表示する。当該表示パネルがタッチ表示パネルであることが好ましい。図１０ａでは、符号９１は、音楽の再生／一時停止を制御する仮想ボタンであり、符号９２は、次の曲に切り替える早送り仮想ボタンである。ユーザは、音楽の再生を一時停止させたい場合、仮想ボタン９１をタッチ制御する。増幅表示装置は、ユーザから入力した制御情報を受信して、対応する制御指令を通信ユニット２４を介して送信し、電子表示機器の音楽再生が一時停止するように制御する。ユーザは、次の曲を聞きたい場合、同様に、仮想ボタン９２をタッチ制御する。タッチ表示パネルが当該ユーザの指令を検出すると、対応する制御指令を送信して、音楽を次の曲に切り替えるように電子表示機器を制御する。
【００５９】
同様に、図１０ｂに示すように、電子表示機器が移動通信端末である場合、当該移動通信端末がコールされると、当該移動通信端末は、コールに関する制御情報を増幅表示装置に送信する。増幅表示装置は、コールに関する制御情報を受信して、関連する仮想ボタン９３、９４をタッチ制御表示パネルに形成する。仮想ボタン９３は、電話に出るボタンであり、９４は電話を切るボタンである。ユーザは、自身の需要に応じて対応する仮想ボタンをタッチ制御できる。増幅表示装置は、対応する制御情報を電子表示機器に送信し、電話に出るか切るかを実現する。また、さらに、上記仮想ボタン９３、９４のほか、電子表示機器は、コール側の連絡者基本情報、例えば連絡者の氏名、電話番号などを増幅表示装置に送信できる。増幅表示装置は、受信してから、上記連絡者の基本情報をタッチ制御表示パネルに表示する。このように、ユーザは、増幅表示装置上の電子表示機器による表示画像を観賞する時、慌てて電子表示機器を持ち上げて操作する必要はなく、ユーザの利便性が増す。
【００６０】
同様に、図１０ｃに示すように、ユーザが電子表示機器を介してネットワークに接続してニュースを閲覧するときに、増幅表示装置では、電子表示機器の中のウェブページを表示する。電子表示機器がウェブページの制御情報を増幅表示装置に送信する。増幅表示装置は、ウェブページの制御情報を受信してから、対応する仮想ボタン９５、９６、９７、９８をタッチ制御表示パネルに表示する。９５は、バックボタンであり、９６は上方シフトボタンであり、９７は下方シフトボタンであり、９８は進むボタンである。上記仮想ボタン９５、９６、９７、９８によって、ユーザがウェブページ閲覧のときにウェブページ内容の自由閲覧を実現する。さらに、上記仮想ボタン９５、９６、９７、９８のほかに、ウェブページ表示であれば、電子表示機器は、ＵＲＬ情報なども増幅表示装置に送信できる。増幅表示装置は、ＵＲＬ情報を受信してから、タッチ制御表示パネルに表示する。ＵＲＬ情報は、ＵＲＬとサイト名称などを含む。ユーザは、増幅表示装置のタッチ制御表示パネルにＵＲＬ情報などを入力することによって、電子表示機器を持ちながら入力する効果を実現する。簡単に言うと、タッチ制御表示パネルにはＵＲＬ入力欄が表示され、ユーザが入力欄を選択すると、仮想キーボードが浮かび上がりユーザからの入力を受ける。上記のウェブページへの制御方法によって、ユーザの使用体験を向上させる。
【００６１】
上記電源２３、追跡機器２１、通信ユニット２４および表示制御パネル２５は、増幅表示装置の上支持体１１と下支持体１３の縁に設置していい。接続線は、上支持体１１、透過反射部品１２および下支持体１３の縁に沿って少なくとも両者を接続する。
【００６２】
具体的には、電源２３を下支持体１３の縁に設置し、表示制御パネル２５を下支持体１３のユーザに向かう表面に設置する。接続線は、下支持体１３の縁、透過反射部品１２の縁、および上支持体１１の縁に沿って、上支持体１１の縁に設置されたＵＳＢインタフェースおよびカメラに接続する。使用時に、ユーザが電子表示機器を上支持体１１に置き、ＵＳＢインタフェースを介して電子表示機器とカメラおよび電源２３との接続を実現する。
【００６３】
なお、上記第１画像処理ユニット２０、第２画像処理ユニット２２は、ハードウェアとしてチップに設置することができ、本発明における対応する機能を実現する。
実施例５
【００６４】
増幅表示装置であって、実施例３と実施例４との相違点として、電子表示機器が眼鏡式立体画像を表示する。すなわち、ユーザが立体メガネをかけて見れる立体画像を表示する。観察者は、立体メガネをかけると、透過反射部品の裏の立体画面を見ることができる。
【００６５】
図１１に示すように、ユーザは、メガネ１０６を介して、電子表示機器の表示画面の位置する平面１０１上の視差のある二つのポイントａ、ｂの、透過反射ミラー１０３裏の画像ポイントａ´、ｂ´が見える。ポイントａからの光線が右のメガネレンズを介して右目に入り、ポイントｂからの光線が左のメガネレンズを介して左眼に入ると、平面１０１と透過反射ミラー１０２との間の夾角を設置することによって、ａ、ｂからの光線が透過反射ミラー１０２による反射後にユーザの目に入り、ユーザは、立体メガネをかけて、透過反射ミラー１０２を介して、ミラーの裏のａ´、ｂ´に形成する立体画像ポイントＥを見ることができる。
【００６６】
本実施例の電子表示機器は、眼鏡式立体画像を表示し、その表示パネルが開閉式メガネに対応する高刷新頻度の液晶表示パネルであってもいいし、または偏光式メガネに対応する奇数偶数行または奇数偶数列の偏光状態が異なる液晶表示パネルであってもいい。
実施例６
【００６７】
増幅表示装置は、図１２ａに示すように、電子表示機器を載置するための支持体８１と透過反射部品８２とを含む。支持体８１と透過反射部品８２とは、９０°未満の夾角の連結を形成する。透過反射部品８２は、上記電子表示機器の画像を増幅して表示する。上記増幅表示装置は、表示時に、支持体８１が透過反射部品８２の第１面側に位置する。
【００６８】
支持体８１は、図１２ａのように透過反射部品８２の下方向に設置され、電子表示機器が置かれるとともに、透過反射部品８２も支持可能である。ユーザが電子表示機器を支持体８１に置いたとき、透過反射部品の裏の画像を見ることができる。支持体８１は、図１２ｂのように透過反射部品８２の上方向に設置されてもよく、電子表示機器が置かれる。使用時に、外部の支持枠、係止溝などによって増幅表示装置を支持する。ユーザが電子表示機器を支持体８１に置いたとき、透過反射部品の裏の画像を見ることができる。
【００６９】
本実施例における支持体８１および透過反射部品８２の具体的な構造および連結関係は、実施例１における上支持体１１および透過反射部品１２の具体的な構造および連結関係と同一であっても良く、ここでは贅言しない。
実施例７
【００７０】
増幅表示装置は、図１３に示すように、支持体１１と、透過反射部品１２と、可動連結構造（図示せず）とを含む。支持体１１は、収納構造４１と支持構造４２とを含む。収納構造４１は電子表示機器を収容するためのものであり、透過反射部品１２は、連結端３１と、当該連結端３１に対向する自由端３２とを含み、さらに、透過反射部品１２は、第１面３５と、当該第１面に対向する第２面（図示せず）とを含む。第２面は、収納構造４１に向かい、透過反射部品１２の連結端３１は可動連結構造を介して支持構造４２に可動連結する。増幅表示装置による表示時に、上記電子表示機器の表示する画像が透過反射部品１２を経て上記透過反射部品１２の第２面側において虚像を形成する。
【００７１】
上記支持構造４２は、中空の箱体であり、上記支持構造４２には、少なくとも一面が開放された収容溝が設置され、上記収納構造４１が当該支持構造４２に設置された少なくとも一面が開放された収容溝である。よって、電子表示機器の表示面からの画像光線が透過反射部品１２までに射出できる。支持構造４２は、第１滑動端２２Ａと、当該第１滑動端２２Ａに対向する第２滑動端２２Ｂとを含み、透過反射部品１２の連結端３１は可動連結端を介して支持構造４２の第１滑動端２２Ａに連結され、透過反射部品１２は、支持構造４２に覆い合われる時、電子表示機器を収納構造４１内に収容する。
【００７２】
本実施例の透過反射部品１２は、表面に塗布層を持ち、環境の光線に応じて透過反射率を調節可能な部品である。もちろん、電源の供給を有する場合、透過反射部品１２は、液晶ガラス部品（電子制御液晶ガラスともいう）を採用しても良い。通電状態において、電圧を調節することによって透過率を調節して、変化する光線環境に適応する。
【００７３】
本実施例の可動連結構造は、透過反射部品１２の連結端３１に設置される連結位置決め軸と、支持構造４２に設置される連結位置決め軸カバーとを含む。連結位置決め軸には、位置決め突起が設置されており、連結位置決め軸カバーの内側面には、位置決め突起に対応して位置決め溝が設置される。連結位置決め軸が連結位置決め軸カバーに挿通するように設置され、かつ位置決め突起が位置決め溝に係合する。もちろん、上記連結位置決め軸を支持構造４２に、対応する上記連結位置決め軸カバーを透過反射部品１２の連結端３１に設置してもいい。また、位置決め突起を連結位置決め軸カバー内に、対応する位置決め溝を連結位置決め軸に設置してもいい。また、可動連結構造は、本発明の実施例による構造に限定されず、その他の既有の様々な回転可能に位置決める構造、例えばヒンジ構造であってもいいが、当該回転可能に位置決める構造が良く見られるものであるため、ここでその他の実施状況を贅言しない。
【００７４】
次に、本実施例の増幅表示装置がどのように未表示状態から表示状態に変化するかを詳細に説明する。
【００７５】
透過反射部品１２は、外力を受けて、支持機構４２に対して回転する。よって、上記収納構造４１内に収納された電子表示機器の表示面が透過反射部品１２の第１面と所定の角度をなし、透過反射部品１２の第２面側において電子表示機器による表示画像の虚像が形成される。本実施例において、上記所定の角度は４５度である。表示したい場合、上記透過反射部品１２は上記収納構造４１に覆い合われる。
【００７６】
また、本実施例の増幅表示装置は、視角調節機構をさらに含んでもいい。視角調節機構は、支持機構４２の第１滑動端２２Ａと、第２滑動端２２Ｂとによって実現され、透過反射部品１２と収納構造４１は、支持構造４２の第１滑動端２２Ａに対する位置を保持し、第１滑動端２２Ａが第２滑動端２２Ｂに対する滑動によって、透過反射部品１２を第２滑動端２２Ｂに対して回転させることによって視角を調節可能となる。また、直接支持機構４２の底部に視角調節機構を設置することも考えられ、収納構造４１、支持構造４２、及び透過反射部品１２を全体的に当該視角調節機構に対して回転させ、かつ収納構造４１、支持構造４２及び透過反射部品１２の相対位置を固定する。視角調節機能を操作して、支持構造４２の第１滑動端２２Ａ、透過反射部品１２及びその収納機構４１を支持構造４２の第２滑動端２２Ｂに対して回転させ、支持構造４２の第１滑動端２２Ａ、透過反射部品１２及びその収納機構４１間の位置は相対に固定され、虚像形成空間の大きさに影響を与えないと同時に、視角調節機能を実現する。
【００７７】
本実施例による増幅表示装置は、実施例１の増幅表示を実現すると同時に、非表示時に、収納機構４１で電子表示機器を収納することによって、電子表示機器の収納、包装機能を果たし、携帯により便利である。
実施例８
【００７８】
増幅表示装置であって、実施例６と実施例７との相違点として、電子表示機器が裸眼立体画像を表示できるし、眼鏡式立体画像も表示できることである。上記増幅表示装置は、実施例６と実施例７の構造を基に、実施例３、実施例４および実施例５の第１画像処理ユニット、追跡ユニット、第２画像処理ユニット、電源、通信ユニットおよびタッチパネルのうちの少なくとも一種の構造をさらに含み、その具体的な構造について実施例３ないし実施例５の記載を参照し、ここでは贅言しない。
実施例９
【００７９】
増幅表示ステムであって、図１４に示すように、上記増幅表示システム６０は、実施例１乃至実施例７のいずれか一つに記載した増幅表示装置６１と電子表示機器６２とを含む。
【００８０】
増幅表示システム６０は、第１画像処理ユニット２０と、追跡ユニット２１と、第２画像処理ユニット２２の全部または一部を含むことができる。第１画像処理ユニット２０と、追跡ユニット２１と、第２画像処理ユニット２２は、全て増幅表示装置６１に設置されてもいいし、全て電子表示機器６２に設置されてもいい。さらに、一部が増幅表示装置６１に設置され、他の部分が電子表示機器６２に設置されてもいい。例えば、第１画像処理ユニット２０と追跡ユニット２１を増幅表示装置６１に、第２画像処理ユニット２２を電子表示機器６２に設置し、または、第１画像処理ユニット２０を増幅表示装置６１に、第２画像処理ユニット２２と追跡ユニット２１を電子表示機器６２に設置し、または、第２画像処理ユニット２２と追跡ユニット２１を増幅表示装置６１に、第１画像処理ユニット２０を電子表示機器６２に設置する。その他の場合は、ここで枚挙しない。
【００８１】
本実施例による増幅表示システムにおいて、増幅表示装置は、上支持体と９０°未満の夾角である透過反射部品によって、上支持体に置かれた電子表示機器の画像を増幅して表示する。透過反射部品の透過機能によって、透過反射部品の前にいる観察者が、縁の制限がなく周囲の環境に融合した実世界の表示画面を見ることができ、観察者に臨場感のある観察効果を創り出し、ユーザの観察体験を効果的に向上させる。また、透過反射部品に縁がなく、縁無しの透明表示パネルの効果を生み出すことができ、視覚の疲労になることが容易ではない。また、本発明の増幅表示装置は、製造の工程が簡単であり、コストが低く、製品化されやすい。
【００８２】
以上に記載したのは、単に本発明の好ましい実施例に過ぎず、本発明を制限するためのものではない。本分野の技術者にとって、本発明には様々な変更と変化を有してもいい。本発明の精神と原則内に為したあらゆる修正、同等の差し替え、改良などは、いずれも本発明の保護範囲内に含まれるものとする。
【図１】
2015184671.tif 000003
【図２】
2015184671.tif 000004
【図３】
2015184671.tif 000005
【図６】
2015184671.tif 000006
【図９】
2015184671.tif 000007
【図１４】
2015184671.tif 000008
【図４】
2015184671.tif 000009
【図５】
2015184671.tif 000010
【図７ａ】
2015184671.tif 000011
【図７ｂ】
2015184671.tif 000012
【図８】
2015184671.tif 000013
【図１０ａ】
2015184671.tif 000014
【図１０ｂ】
2015184671.tif 000015
【図１０ｃ】
2015184671.tif 000016
【図１１】
2015184671.tif 000017
【図１２ａ】
2015184671.tif 000018
【図１２ｂ】
2015184671.tif 000019
【図１３】
2015184671.tif 000020